【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  坪量30〜200g/m2の印刷用紙または板紙を、湿部と、プレス部と、乾燥部とを有する抄紙機または板紙抄紙機で製造する方法であって、前記湿部で成形されたウェブをダブルフェルト式ロールプレスニップ付きロールプレスで圧搾し、その後、シングルまたはダブルフェルト式エクステンデッドシュープレスニップ付きシュープレスで圧搾する製造方法において、
−  前記ウェブは、前記ダブルフェルト式ロールプレスニップとオープンプレスロールとを有するたわみ補正用ロールプレスにおいて圧搾し、
−  前記抄紙機は少なくとも1,200m/minのウェブ速度で運転し、
−  前記ロールプレスニップでは前記ウェブに対して100ないし300kN/m、望ましくは120ないし250kN/mの範囲の線形負荷と、５ないし15MPa、望ましくは８ないし11MPaの範囲の比圧とを与え、
−  前記シュープレスニップでは前記ウェブに対して500ないし1,500kN/m、望ましくは700ないし1,200kN/mの範囲の線形負荷と、４ないし13MPa、望ましくは４ないし８MPaの範囲の比圧とを与え、
−  これによって、前記ロールプレスニップの後では少なくとも35パーセント、望ましくは少なくとも38パーセントの乾燥加熱残分を有し、前記シュープレスニップの後では少なくとも45パーセントの乾燥加熱残分を有する脱水済ウェブを得ることを特徴とする印刷用紙または板紙の製造方法。
【請求項２】  請求項１に記載の方法において、前記ウェブは、前記ロールプレスニップの後に、前記ロールプレスにおいてトランスファーロールとして作用するプレスフェルトへ、サクションロールおよび／または局所的な真空を生成する１つもしくはいくつかのブローイングボックスもしくはサクションボックスによって、付着させることを特徴とする方法。
【請求項３】  請求項１に記載の方法において、前記ウェブは、ダブルフェルト式である前記シュープレスニップの後に、前記シュープレスにおいてトランスファーフェルトとして作用するプレスフェルトへ、サクションロールおよび／または、局所的な真空を生成する１つまたはいくつかのブローイングボックスまたはサクションボックスによって、付着させることを特徴とする方法。
【請求項４】  請求項１に記載の方法において、前記ウェブは、シングルフェルト式である前記シュープレスニップの後に、トランスファーベルトとして作用するプレス布へ、その平滑なウェブ接触面によって、付着させることを特徴とする方法。
【請求項５】  請求項１ないし４のいずれかに記載の方法において、前記ロールプレスからシュープレスへ移送された前記ウェブは、前記シュープレスにおいて該ウェブを搬送するフェルトとして作用するプレスフェルトへ、局所的な真空を生成するブローイングボックスまたはサクションボックスによって付着させ、該ボックスは前記プレスフェルトのループ内に配設することを特徴とする方法。
【請求項６】  請求項１ないし５のいずれかに記載の方法において、前記ウェブは、前記ロールプレスからシュープレスへ、該シュープレスのプレスフェルトのループ内に配設されているピックアップサクションロールによって移送し、該プレスフェルトによって該ウェブを前記シュープレスニップへ搬送することを特徴とする方法。
【請求項７】  請求項２に記載の方法において、前記ウェブは、前記シュープレスニップへ、第１および第２のプレス布の間に包囲したサンドイッチ構造で搬送することを特徴とする方法。
【請求項８】  請求項１または２に記載の方法において、前記ウェブは、前記ロールプレスニップから、上部および下部プレスフェルトの間に包囲したサンドイッチ構造で搬送することを特徴とする方法。
【請求項９】  請求項１、４、５または６のいずれかに記載の方法において、前記ウェブは、前記ロールプレスニップからシュープレスニップへ、上部および下部プレスフェルトの間に包囲した第１のサンドイッチ構造で搬送し、前記ロールプレスとシュープレスとの間の閉鎖ドローに追従させた後、前記シュープレスの第１および第２のプレス布の間に包囲した第２のサンドイッチ構造で搬送することを特徴とする方法。
【請求項１０】  請求項１ないし９のいずれかに記載の方法において、前記ウェブをたわみ補正用ロールプレスで圧搾し、該プレスの各ロールはそれぞれ、0.7〜1.8dm3/m2の外皮面受水容量を有することを特徴とする方法。
【請求項１１】  坪量30〜200g/m2の印刷用紙または板紙を高速で製造し、湿部と、プレス部と、乾燥部とを含み、該プレス部はダブルフェルト式ロールプレスニップを有するロールプレスと、シングルまたはダブルフェルト式エクステンデッドシュープレスニップを有するシュープレスとを有する抄紙機または板紙抄紙機において、該ロールプレスは、たわみ補正用の回転可能に軸着された外皮面付きのオープンプレスロールを含み、前記抄紙機は、少なくとも1,200m/minのウェブ速度で運転され、前記ロールプレスニップでは100ないし300kN/m、望ましくは120ないし250kN/mの範囲の線形負荷が加えられ、前記シュープレスニップでは500ないし1,500kN/m、望ましくは700ないし1,200kN/mの範囲の線形負荷が加えられ、前記ロールプレスニップでは５ないし15MPa、望ましくは８ないし11MPaの範囲の比圧が加えられ、前記シュープレスニップでは４ないし13MPa、望ましくは４ないし８MPaの範囲の比圧が加えられ、これによって、前記ロールプレスニップの後では少なくとも35パーセント、望ましくは少なくとも38パーセントの乾燥加熱残分を有し、前記シュープレスニップの後では少なくとも45パーセントの乾燥加熱残分を有する脱水済ウェブを得ることを特徴とする抄紙機または板紙抄紙機。
【請求項１２】  請求項11に記載の抄紙機において、前記ロールプレスにおいてトランスファーフェルトとして作用するプレスフェルトのループ内のロールプレスニップの後に、サクションロールおよび／または局所的な真空を発生する１つもしくはいくつかのブローイングボックスもしくはサクションボックスが配設されていることを特徴とする抄紙機。
【請求項１３】  請求項11に記載の抄紙機において、前記シュープレスにおいてトランスファーフェルトとして作用するプレスフェルトのループ内のダブルフェルト式であるシュープレスニップの後に、サクションロールおよび／または局所的な真空を発生する１つもしくはいくつかのブローイングボックスもしくはサクションボックスが配設されていることを特徴とする抄紙機。
【請求項１４】  請求項11に記載の抄紙機において、前記シュープレスのプレス布の１つは、平滑面を有する不透気性トランスファーベルトであり、該ベルトに対して前記ウェブは前記シュープレスニップの後で付着することを特徴とする抄紙機。
【請求項１５】  請求項11ないし14のいずれかに記載の抄紙機において、前記シュープレスにおいて前記ウェブを前記ロールプレスから前記シュープレスニップへ搬送するプレスフェルトのループ内に、局所的な真空を発生するブローイングボックスが配設されていることを特徴とする抄紙機。
【請求項１６】  請求項11ないし15のいずれかに記載の抄紙機において、前記ウェブをシュープレスニップへ搬送するプレスフェルトのループ内の前記シュープレスに、ピックアップサクションロールが配設されていて、該ピックアップサクションロールは、そのプレスフェルトと共に、前記ロールプレスにおいてトランスファーフェルトとして作用し前記ウェブを前記プレスフェルトへ移送するプレスフェルトと協働するように配設されることを特徴とする抄紙機。
【請求項１７】  請求項12に記載の抄紙機において、前記シュープレスの第１および第２のプレス布は、それらの間で前記ウェブを包囲しながら、前記シュープレスニップの手前まで互いに接触し合って走行するように配設され、これによって該シュープレスニップまでサンドイッチ構造が作られることを特徴とする抄紙機。
【請求項１８】  請求項11または12に記載の抄紙機において、前記ロールプレスの上部および下部プレスフェルトは、それらの間でウェブを包囲しながら、前記ロールプレスニップから互いに接触し合って走行するように配設され、これによってウェブ搬送プレスフェルトのループ内に配設されているサクションロールまでサンドイッチ構造が作られることを特徴とする抄紙機。
【請求項１９】  請求項11、14、15または16のいずれかに記載の抄紙機において、前記ロールプレスの上部および下部プレスフェルトは、それらの間で前記ウェブを包囲しながら、互いに接触し合って走行するように配設され、これによって該ウェブを搬送するプレスフェルトのループ内に配設されているサクションロールまで第１のサンドイッチ構造が作られ、前記シュープレスの第１および第２のプレス布は、それらの間で前記ウェブを包囲しながら、前記シュープレスニップの手前まで互いに接触し合って走行するように配設され、これによって該シュープレスニップまで第２のサンドイッチ構造が作られることを特徴とする抄紙機。
【請求項２０】  請求項11ないし19のいずれかに記載の抄紙機において、前記オープンプレスロールはそれぞれ、受水用の穴付きまたは溝付きの鋼鉄の外皮面を有し、それらは合計で外皮面の平方メートル当たり0.7〜1.8dm3の容積を有することを特徴とする抄紙機。